(57)【要約】【課題】  手動による原操作力を簡単な機構を経ての変換により高いこじ開け力としてドアを開き得るように構成したことで地震時のドア枠のこじれで開かなくなったドアや洪水や津波時の水害・水圧で開かなくなったドアであっても簡単かつ強制的にドアを開き得て室外避難を可能にする手動式ドア強制開放装置を提供することを目的とする。【解決手段】  架台と、この架台をドアの室内側である床面あるいは側壁上に定着化する定着手段と、レバーハンドルの往復操作により発生させた油圧をラムに作用させて該ラムをシリンダに対し押出可能とした油圧ジャッキと、ラムの先端側に設けた取付具を介して設けられドアを室内側から押し出すようにするローラーや板パッドなどの押開具とを備える。【選択図】図２
0003214980.tif 000002
【実用新案登録請求の範囲】
【請求項１】
架台と、この架台をドアの室内側である床面あるいは側壁上に定着化する定着手段と、レバーハンドルの往復操作により発生させた油圧をラムに作用させて該ラムをシリンダに対し押出可能とした油圧ジャッキと、ラムの先端側に設けた取付具を介して設けられドアを室内側から押し出すようにするローラーや板パッドなどの押開具とを備える手動式ドア強制開放装置。
【考案の詳細な説明】
【技術分野】
【０００１】  本考案は、手動式ドア強制開放装置に関する。
【背景技術】
【０００２】  地震等の災害によって変形した建物のドア枠構造体が開放不能になった場合に室内に閉じ込められた人が自力で室外に脱出することができるようにした手動式ドア開放装置は、特許文献１に開示されている。【０００３】
【特許文献１】特許第５３６４２１２号
【考案の概要】
【考案が解決しようとする課題】
【０００４】  特許文献１の手動式ドア開放装置は、開放バールと、係止フック体で構成される手動式ドア開放装置であって、前記開放バールは、平鋼棒材を略Ｊ字状に屈曲させてバール状に形成し、先端部は先端をやや外側に屈曲させて先細りの平板状に成形し、屈曲部は所定の曲率半径を有して成形されると共に、該屈曲部の内側には補強杆を跨設し、基部は先端をやや内側に屈曲させて先細りの平板状に成形して成り、前記係止フック体は、下方が開口されるボックス状の係止部の側壁が両側に延設されてフランジ部が形成されると共に、該フランジ部に取り付けネジが挿通する通し穴を設けて成り、前記係止フック体が、ドア枠の室内側の戸先側段差部または開閉ドアの室内側の戸先端上部に前記フランジ部の通し穴を介して取り付けネジによって取り付けられることを特徴とするものである。
この手動式ドア開放装置をみるとき、Ｊ字形をした開放バールを本体とするものであるので、倒壊によるドア枠のこじれが軽度である場合は確かにこじ開けることができるかも知れないが、重度のこじれである場合には２倍〜３倍程度の倍力率のバール程度ではこじ開けられず室内の人は室外に出ることはできないという事態を発生するおそれがある。特に、地震によるこじれ以外に洪水によってドアに水圧や瓦礫などが負いかかることがあるが、その場合は前記したバール程度の小道具では全く歯が立たず逃げ出せないことも考えられる。【０００５】  本考案は、このような問題を解決しようとするものであり、手動による原操作力を簡単な機構を経ての変換により高いこじ開け力としてドアを開き得るように構成したことで地震時のドア枠のこじれで開かなくなったドアや洪水や津波時の水害・水圧で開かなくなったドアであっても簡単かつ強制的にドアを開き得て室外避難を可能にする手動式ドア強制開放装置を提供することを目的とする。
【課題を解決するための手段】
【０００６】  本考案は上記目的を達成するため、請求項１に記載の考案は、架台と、この架台をドアの室内側である床面あるいは側壁上に定着化する定着手段と、レバーハンドルの往復操作により発生させた油圧をラムに作用させて該ラムをシリンダに対し押出可能とした油圧ジャッキと、ラムの先端側に設けた取付具を介して設けられドアを室内側から押し出すようにするローラーや板パッドなどの押開具とを備える。
【考案の効果】
【０００７】  上述したように本考案は、架台と、この架台をドアの室内側である床面あるいは側壁上に定着化する定着手段と、レバーハンドルの往復操作により発生させた油圧をラムに作用させて該ラムをシリンダに対し押出可能とした油圧ジャッキと、ラムの先端側に設けた取付具を介して設けられドアを室内側から押し出すようにするローラーや板パッドなどの押開具とを備えるので、手動による原操作力を簡単な機構を経ての変換により高いこじ開け力としてドアを開き得るように構成したことで地震時のドア枠のこじれで開かなくなったドアや洪水や津波時の水害・水圧で開かなくなったドアであっても簡単かつ強制的にドアを開き得て室外避難を可能にする手動式ドア強制開放装置を提供することができる。
【図面の簡単な説明】
【０００８】
【図１】  本考案である手動式ドア強制開放装置の第１実施形態をドア閉止状態において示す図２のＩ−Ｉ線対応断面図。
【図２】  図１のＩＩ−ＩＩ線断面図。
【図３】  第１実施形態の変形例を示す横断面図。
【図４】  第２実施形態を示す図５のＩＶ−ＩＶ線対応断面図。
【図５】  図４のＶ−Ｖ線断面図。
【図６】  第３実施形態を示す図７ＶＩ−ＶＩ線対応断面図。
【図７】  図６のＶＩＩ−ＶＩＩ線断面図。
【図８】  図６の実施形態の作用説明図。
【考案を実施するための形態】
【０００９】  図１および図２は本考案である手動式ドア強制開放装置についての第１実施形態を示すもので、１は室内側、２は室外側で、室内側１には床面３があり、室外側２には屋外基盤４があり、それらの間には縦長型をした矩形枠状のドア枠５がサッシュ枠として固定されている。
３ａは床面３の主要な広い面域である主面で、ドアハンドル８のある側である一側脇部３ｂ以外の面部である。６は一側脇部３ｂのある側の側壁である。
７は中空金属製のドアで厚さは５０ｍｍで、ドア枠５内に図示しないヒンジを介して開閉自在に取付支持されている。ドアハンドル８はノブ型でもよい。
【００１０】  １０はＳＵＳやアルミ合金製などによるＬ字型（アングル型）架台で、矩形の底板１１とその一端側から立ち上がる１枚の立面板１２とからなっている。架台１０は、底板１１と立面板１２とを直角に溶接一体化したものでなっているが、図２の右下欄に示すように底板１１と立面板１２とを一体折り曲げ成形したものであってもよい。
架台１０は、アンカー（定着手段）１３…により一側脇部３ｂ内に平行状に定着されるようになっている。この定着手段は、強力な両面粘着シートあるいは接着剤を使用することもある。
【００１１】  Ｊは油圧ジャッキで、垂直板状のベース１５と、ベース１５から水平軸状に突設されたタンク１６と、同タンク１６内の水平軸状のシリンダ１７と、シリンダ１７に設けたラム１８とを有する。架台１０の立面板１２とベース１５とは図２の右側から挿通した連結具により連結されている。
ここで、タンク１６・シリンダ１７・ラム１８の中心線Ｏ１は一側脇部３ｂと側壁６のいずれにも平行でドア７の延長面に直交状をなすものになっている。
【００１２】  ラム１８の先端側には端フランジ２０が設けられ、このフランジ２０を介するドア７側の端部には、取付具２１が止着具２２を介して取り付けられている。取付具２１の先端には、ローラーである押開具２３がローラー軸２４を介して取り付けられている。
押開具２３は縦軸向きであるが止着具２２を緩めて取付具２１を回して調節すれば図２の下欄のように横軸状にしたりあるいは図示しないが斜軸状にも姿勢変更することができる。
ここでは、ドア７面に点状でなく常に線状に接触しながら損傷なしに押し開くようにする縦軸状に設定してある。また、押開具２３がローラーであると、ドア７の面を転動しながら押し開くように作用するので、抵抗や相手損傷もなく軽く確実に押し開き動作をすることになる。
【００１３】  尚、押開具２３は、図１の上側欄に示すように、外周に緩衝ローラー２３ａを外嵌しておけば押し開き時にドア損傷を抑えることができるようになる。ドア７側の損傷を減らすには、図２内に示すように、ドア７側の面に押し当てパッド２５を固着しておいてそこを介して押し開くようにしてもよい。同パッド２５は、その室内側に緩衝材を貼付けたものにしてもよいし、同パッド２５自体を緩衝材質としてもよい。
また、押開具２３は、図１の右上欄のように、四角柱などの角柱型であってもよく、この場合、ドア７に対し線接触でなく常に面接触した状態でドア７に損傷を与えずして押し開くことができる。この角柱型押開具２３においても外周に緩衝材を装着してもよい。前記緩衝手段は、他の実施形態においても適用がある。
押開具２３は、図２の下欄に示すように、基部と先端を含めて四角枠状の取付具２１としてその先端部を押開具２３とすることもある。
【００１４】  ２７はポンプで、ポンプシリンダ２８とプランジャーピストン２９並びにレバーソケット３０と支持リンク３１を備える。３２は回転スリーブで、ポンプシリンダ２８回りに回転可能とされており、レバーソケット３０を介してレバーハンドル３３の操作向きを変えることができるようになっている。レバーハンドル３３は、レバーソケット３０に垂直上方から挿し込み可能で止着具３４で締付固定可能にしてもよい。
【００１５】  レバーハンドル３３は伸縮あるいは折畳展開式でその長さを調節可能にしてもよい。３５はリリーズスクリュウで、反時計回りに回すことで、シリンダ１７内に作用していたオイルはタンク１６内に還流可能な状態とされる。ポンプシリンダ２８内とシリンダ１７内とは吐出チェック弁（シリンダ１７方向にのみ開く）を介して吐出油路で連通され、タンク１６内とポンプシリンダ２８内とは吸込チェック弁（ポンプシリンダ２８方向にのみ開く）を介して吸込油路で連通されている。
【００１６】  本体のタンク１６内にはオイル（作動油）が入っており、リリーズスクリュウ３５を締め内部のリリーズバルブを閉じた状態にしておきます。レバーハンドル３３を図２の矢印ａ方向に戻すようにするとプランジャーピストン２９が引き出されタンク１６内のオイルがポンプシリンダ２８内に吸い込まれる。この吸い込まれたオイルは、レバーハンドル３３を矢印ｂ方向に引き操作することによりシリンダ１７内に送り込まれる。
【００１７】  こうした往復レバー操作を繰り返すことによりラム１８は徐々に押し出され、ストローク１００〜１２０ｍｍ前後をもってドア７を押し開くことになる。こうした油圧ジャッキＪは仕様により２ｔ〜１０ｔの押出力を発生するものとして構成することができ、その結果、その強大な力をドア７の開き勝手側に作用させることにより図２のように洪水や津波で襲来水Ｗやガレキなどが溜まっていたとしてもその手前のドア７は容易に押し開かれるものとなる。
【００１８】  尚、油圧ジャッキＪ内には上昇制限回路が構成され、ラム１８が最伸長まで伸びるとシリンダ１７内のオイルをタンク１６側へ逃がしてラム１８のそれ以上の伸長を停めるようになっている。架台１０には補強リブ３６を追加してもよい。
また、油圧ジャッキＪは、図３に示すように、中心線Ｏ１が、側壁６に対してθ＝１０度の角度をなすように斜め配置して中心線Ｏ１上に押開具２３が合致して強力に押し開くことができるようにすることもある。θは１５度、２０度、３０度などであってもよい。
【００１９】  この手動式ドア強制開放装置は、一般家屋や店舗、工場、船舶などのドア装置に対して適用されることは言うまでもないが、例えば、ドア枠とドアをセットにしてその前面側に水圧を作用させてドアを開放困難な状況を体験させ災害の怖さを啓蒙させる水害体験装置（デモ機）にも設置適用することができる。
【００２０】  図４および図５は第２実施形態を示す。架台４０は、床面３の一側脇部３ｂ上にアンカー（定着手段）１３を介して固定される水平基台４１と同基台４１に対し立ち上がり角度が４５度で一体形成された斜め取付台４２とでなる。水平基台４１に対し斜め取付台４２は、図４の右欄に示すように、別体連結型にして角度調節可能にしてもよい。そのヒンジ４３の軸部を緩締可能にしたりあるいは基台４１と取付台４２のそれぞれから突設された平行な板片間を長孔付き止着具で緩締可能にするなどの方法で角度調節可能にする。
【００２１】  Ｊは油圧ジャッキで、ベース１５と、ベース１５から斜め軸状に突設されたタンク１６と、同タンク１６内のシリンダ１７と、シリンダ１７に設けたラム１８とを有する。ベース１５は、斜め取付台４２側から挿通された連結具により連結されている。油圧ジャッキＪの中心線Ｏ１は立ち上がり角αが４５度になっている。ラム１８の端フランジ２０には、上からみてＬ字板状をなす取付具４５が止着具４６を介して取り付けられており、その先端にはローラーである押開具４７がローラー軸４８を介して取り付けられている。押開具４７は球体でもよく、その外周に緩衝材を付したものもここに含む。
押開具４７は横軸向きであるが縦軸状にしたり図示しないが斜軸状に変更することができる。
【００２２】  油圧ジャッキＪにおいて２７はポンプで、ポンプシリンダ２８とプランジャーピストン２９並びにレバーソケット３０と支持リンク３１を備える。３２は回転スリーブで、ポンプシリンダ２８回りに回転可能とされており、レバーソケット３０を介してレバーハンドル３３の操作向きを変えることができるようになっている。レバーハンドル３３は、レバーソケット３０に垂直上方から挿し込み可能で止着具３４で締付固定可能にしてもよい。
【００２３】  レバーハンドル３３は伸縮あるいは折畳展開式でその長さを調節可能にしてもよい。３５はリリーズスクリュウで、反時計回りに回すことで、シリンダ１７内に作用していたオイルはタンク１６内に還流可能な状態とされる。ポンプシリンダ２８内とシリンダ１７内とは吐出チェック弁（シリンダ１７方向にのみ開く）を介して吐出油路で連通され、タンク１６内とポンプシリンダ２８内とは吸込チェック弁（ポンプシリンダ２８方向にのみ開く）を介して吸込油路で連通されている。
【００２４】  本体のタンク１６内にはオイル（作動油）が入っており、リリーズスクリュウ３５を締め内部のリリーズバルブを閉じた状態にしておきます。レバーハンドル３３を図２の矢印ａ方向に戻すようにするとプランジャーピストン２９が引き出されタンク１６内のオイルがポンプシリンダ２８内に吸い込まれる。この吸い込まれたオイルは、レバーハンドル３３を矢印ｂ方向に引き操作することによりシリンダ１７内に送り込まれる。
【００２５】  こうした往復レバー操作を繰り返すことによりラム１８は徐々に斜め前上方に押し出され、ストローク１００〜１２０ｍｍ前後をもってドア７を押し開くことになる。こうした油圧ジャッキＪは仕様により２ｔ〜１０ｔの押出力を発生するものとして構成することができるが、この実施形態のように押開具４７がドア７に対して斜め向きに開き作用すると、ドア７に掛る水平分力は強力なものになり、その結果、ドア７の前面に洪水や津波で襲来水Ｗやガレキなどが高く溜まっていたとしても容易に押し開くことができるものである。
【００２６】  図６および図７は第３実施形態を示す。架台５０は、矩形の板で、床面３の一側脇部３ｂ上にアンカー（定着手段）１３を介して水平に固定されている。
Ｊは油圧ジャッキで、水平なベース１５と、ベース１５から垂直状に突設されたタンク１６と、同タンク１６内の垂直なシリンダ１７と、シリンダ１７に設けた垂直軸状のラム１８とを有する。ベース１５は、架台５０側から挿通された連結具により連結されている。油圧ジャッキＪの中心線Ｏ１は垂直になっている。
【００２７】  ラム１８の端フランジ２０には、上からみて矩形で側面からみてアングル型をした取付具５１が止着具５２を介して取り付けられており、その先端下部にはヒンジ５４が設けられるとともに、このヒンジ５４を介してぶら下げ式に揺動レバー５５が取り付けられ、その下端にローラー軸５６を介してローラーである押開具５７が水平軸状に取り付けられている。
これに対してベース１５上にはタンク１６側部に添う形でカム板６０が立設固定されている。このカム板６０のドア７側の面は上方に行くに従ってドア７面に接近するような湾曲カム面６１をもち、この面６１に押開具５７が転動しながら引上げられることで前向きにドア７を押し広げるものとなっている。
【００２８】  油圧ジャッキＪにおいて２７はポンプで、ポンプシリンダ２８とプランジャーピストン２９並びにレバーソケット３０と支持リンク３１を備える。３２は回転スリーブで、ポンプシリンダ２８回りに回転可能とされており、レバーソケット３０を介してレバーハンドル３３の操作向きを変えることができるようになっている。レバーハンドル３３は、レバーソケット３０に垂直上方から挿し込み可能で止着具３４で締付固定可能にしてもよい。
【００２９】  レバーハンドル３３は伸縮あるいは折畳展開式でその長さを調節可能にしてもよい。３５はリリーズスクリュウで、反時計回りに回すことで、シリンダ１７内に作用していたオイルはタンク１６内に還流可能な状態とされる。ポンプシリンダ２８内とシリンダ１７内とは吐出チェック弁（シリンダ１７方向にのみ開く）を介して吐出油路で連通され、タンク１６内とポンプシリンダ２８内とは吸込チェック弁（ポンプシリンダ２８方向にのみ開く）を介して吸込油路で連通されている。
【００３０】  本体のタンク１６内にはオイル（作動油）が入っており、リリーズスクリュウ３５を締め内部のリリーズバルブを閉じた状態にしておきます。レバーハンドル３３を図２の矢印ａ方向に戻すようにするとプランジャーピストン２９が引き出されタンク１６内のオイルがポンプシリンダ２８内に吸い込まれる。この吸い込まれたオイルは、レバーハンドル３３を矢印ｂ方向に引き操作することによりシリンダ１７内に送り込まれる。
【００３１】  こうした往復レバー操作を繰り返すことによりラム１８は上方に押し出され、ストローク１００〜１２０ｍｍ前後をもってドア７を押し開くことになる。こうした油圧ジャッキＪは仕様により２ｔ〜１０ｔの押出力を発生するものとして構成することができるが、この実施形態のように押開具４７がカムにより数倍に倍力化して前向きに押し開き力を発生することで、ドア７の前面に洪水や津波で襲来水Ｗやガレキなどが高く溜まっていたとしても油圧ジャッキＪの持つリフト力の数倍の力をもってドア７を簡単に押し開くことができるものである。
尚、カム面６１は凹状であったが凸状であってもよく、また図６の右上欄に示すように、斜め直線状であってもよい。
【符号の説明】
【００３２】  １…室内側  ２…室外側  ３…床面  ３ａ…主面  ３ｂ…一側脇部  ５…ドア枠  ６…側壁  ７…ドア  １０，４０，５０…架台  １３…アンカー（定着手段）  Ｊ…油圧ジャッキ  １６…タンク  １７…シリンダ  １８…ラム  ２０…端フランジ  ２１，４５，５１…取付具  ２２，４６，５２…止着具  ２３，４７，５７…押開具  ２７…ポンプ  ３３…レバーハンドル。
【図１】
0003214980.tif 000003
【図２】
0003214980.tif 000004
【図３】
0003214980.tif 000005
【図４】
0003214980.tif 000006
【図５】
0003214980.tif 000007
【図６】
0003214980.tif 000008
【図７】
0003214980.tif 000009
【図８】
0003214980.tif 000010